(57)【要約】      （修正有）【課題】密閉性に優れた外観美麗な折込み部が一動作で迅速に形成できるおむすびの包装方法を提供する。【解決手段】包装シート１を略中央部で略コ字状に折り畳み、その両側をシール２することで前方に開口部を有する袋体４を形成し、この袋体４内部におむすび５を収納した後、両側から折込み板１０１を袋体４のシール２面に沿って対向接近させることでシール部２の上下両側を内側へ同時に折り込み、その折込み部６を上下両面から直交する方向にシール７して袋体４の開口部を閉鎖する。【選択図】          図５
2004276944.tif 000002
【特許請求の範囲】
【請求項１】
包装シートを略中央部で略コ字状に折り畳み、その両側をシールすることで前方に開口部を有する袋体を形成し、この袋体内部におむすびを収納した後、両側から折込み板を袋体のシール面に沿って対向接近させることでシール部の上下両側を内側へ同時に折り込み、その折込み部を上下両面から直交する方向にシールして袋体の開口部を閉鎖することを特徴とするおむすびの包装方法。
【発明の詳細な説明】
【０００１】
【発明の属する技術分野】
本発明は、おむすびの包装方法、詳しくは、２枚一対の折込み板の一動作により上下両面に対称の折込み部が同時に形成されるようにしたおむすびの包装方法に関する。
【０００２】
【従来の技術】
従来、包装シートで開口部付きの袋体を作り、この袋体内におむすびを収納した後、袋体開口部を絞りひねりして閉鎖する包装方法は知られている（例えば、特許文献１）。
【０００３】
【特許文献１】
特願２００１−２８３４７９号
【０００４】
【発明が解決しようとする課題】
しかしながら、前記した従来の袋体開口部に対する絞りひねりでは密閉性が不充分で、袋体内部に雑菌や湿気などが侵入するのを完全に阻止することは困難である。
【０００５】
さらに、その袋体開口部をヒートシールしたとしても、シールの都度折り込み部が変化してしまい、商品価値が損なわれることが多い上に、不完全シールとなり易い問題がある。
【０００６】
本発明は、以上のような従来の技術が有する問題点を解消するもので、密閉性に優れた外観美麗な折込み部が一動作で迅速に形成できるおむすびの包装方法を提供することを目的とする。
【０００７】
【発明の実施の形態】
以下、本発明の実施の形態について図面を参照して詳細に説明する。
図１〜図３は袋体開口部に対する折り込み工程の説明図であり、図４および図５は袋体開口部に対するシール工程の説明図であり、図６は図１の側面からみた説明図であり、図７は袋体開口部に対するヒートシール時の側面からみた説明図である。
【０００８】
矩形の包装シート１を幅方向の略中央部で略コ字状に折り畳み、その両側を互いにシール２、２することで前方に開口部３を有する袋体４を形成する。なお、前記シール２は、その内端２ａを僅かに内側へ寄せて開口部３が先細りとなるよう形成される一方、その外端２ｂをジグザグにカットして後方を幅狭、前方を幅広となるよう形成されている（図１）。
【０００９】
次いで、このように形成された袋体４の内部に所定形状（図示例では三角形）に成形されたおむすび５を収納する。このとき、三角形のおむすび５の一側面部が袋体４の底面４ａに接触する位置まで押し込む。
【００１０】
その後、折込み装置１００を袋体４側へ進出させ（図２）、該装置１００に設けられた２枚一対の折込み板１０１、１０１を袋体４のシール２、２の面に沿って接近させることでシール部２、２前方の上下両側を内側へ同時に折り込む（図３）。
【００１１】
最後に、前記折込み板１０１、１０１の僅かな先端において、前記折込み部６、６を、上下両面から直交する方向にヒートシール器２００の２個一対のシール板２０１、２０１を互いに接近させることでヒートシールする（図４）。
図５において、７はシール部である。
【００１２】
前記袋体４成形用の包装シート１としては、紙の内面に粘着剤をコーティングしたもの、あるいはプラスチックフィルム等が使用されるが、いずれの場合も、ヒートシール器２００のシール板２０１、２０１によりヒートシールが可能な素材に限られる。
【００１３】
次に、前記折込み装置１００およびヒートシール器２００について説明する。前記折込み装置１００は図１および図６、図７に示したように、側面からみて略コ字状のガイド枠１０２の背面１０３にやや片側に寄せて支持板１０４が連設された支持部材１０５と、支持板１０４に支持された前記２枚一対の折込み板１０１、１０１と、その回転駆動機構１０６および全体の前後移動機構（図示しない）を備えている。
【００１４】
前記コ字状のガイド枠１０２は、先端中央部を幅狭な突出部１０２ａとした平面略逆Ｔ字状に形状され、この突出部１０２ａの先端が袋体４の開口部３へ挿入されるものである。
【００１５】
前記支持板１０４は、その後端において移動板１０７にボルト１０８によって固定され、移動板１０７の前後移動により支持部材１０５も一緒になって前後方向へ移動するものである。
【００１６】
前記２枚一対の折込み板１０１、１０１は、支持板１０４下面の略中央両側に、折込み板１０１、１０１の中央よりやや後方に設けられたピン１０９、１０９にて回動自在に軸支されている。さらに、折込み板１０１、１０１の後端にピン１１０、１１０が設けられ、一方、移動板１０７の先端両側に配設された、前記回転駆動機構１０６としてのクランク円板１１１、１１１に偏心ピン１１２、１１２が設けられている。そして、前記折込み板１０１、１０１のピン１１０、１１０と偏心ピン１１１、１１１間を連結板１１３、１１３を介してそれぞれ回動自在に連結する。これによってクランク円板１１１、１１１を回転駆動させると、連結板１１３、１１３を介して折込み板１０１、１０１がピン１０９、１０９を支点として所要角度、例えば図３の二点鎖線に示す位置と実線で示す平行位置との間を開閉するものである。
【００１７】
一方、前記ヒートシール器２００は、図４、図５および図７に示したように、前記折込み装置１００の上下両側に配設された２個一対の昇降部材２０２、２０２と、その昇降部材２０２、２０２の対向部に設けられた２個一対のシール板２０１、２０１を備えている。
【００１８】
前記シール板２０１、２０１は、前記折込み装置１００が進出し、ガイド枠１０２先端の突出部１０２ａが袋体４の開口部３内に挿入されたとき、その突出部１０２ａの僅か前方の上下部に位置し、昇降部材２０２、２０２の対向昇降動作により上下のシール板２０１、２０１が互いに同時に接近して袋体４の開口部３における突出部１０２ａ先端を上下両側から挟持することで当該部位をヒートシールする。このようにして袋体４の折込み部６、６に対してその上下両側から直交する方向にシール７され、袋体４の開口部３は閉鎖されるものである。
【００１９】
次に、本発明の作動について説明する。
先ず、袋体４の開口部３と折込み装置１００のガイド枠１０２とを図１に示したように、前後に一直線上となるよう対向配置する。この場合、袋体４にはおにぎり５が収納されており、折込み板１０１、１０１はガイド枠１０２の中間部の両側水平線上に互いに反対方向へ拡いている。一方、ヒートヒール器２００のシール板２０１、２０１も袋体４の開口部３の所定位置において上下両側で対向離間している（図１）。
【００２０】
次いで、移動板１０７を前方へ水平移動させてガイド枠１０２先端の突出部１０２ａ前方を袋体４の開口部３内に挿入する（図２）。
【００２１】
その後、クランク円板１１１、１１１を回転させることにより連結板１１３、１１３を介して折込み板１０１、１０１を、略平行位置になるまで閉じる（図３）。
【００２２】
このさい、折込み板１０１、１０１は、袋体４のシール２の面（図示例ではシール２の上面）に沿って水平接近されるため、折込み板１０１、１０１が前記の略平行位置になったとき、左右両側のシール部２、２前方の上下両側を内側へ同時に折り込む。
【００２３】
すなわち、袋体４の開口部３は、折込み装置１００のガイド枠１０２によって開口保持された状態でシール部２の状面に沿って内方へ移動する折込み板１０１、１０１によってシール部２の上方が内方へ折り込まれるが、このときの押し込み力に引張られてシール部２の下方も同時に内方へ折り込まれるものである。このようにして左右のシール部２、２の上下両面に左右対称の折込み部６、６がそれぞれ２個ずつ計４個形成される。
【００２４】
最後に、前記折込み板１０１、１０１の僅かな先端において、ヒートシール器２００の昇降部材２０２、２０２を作動させて上下のシール板２０１、２０１を互いに接近させることで前記折込み部６、６を上下両面から直交する方向にヒートシールする（図４）。
【００２５】
このようにして袋体４の開口部３近傍にシール部７が形成され開口部３が密閉状態で閉鎖されることで、袋体４内に収納されているおむすび５の乾燥等による品質劣化を防ぐことができる（図５）。
【００２６】
次いで、ヒートシール器２００の昇降部材２０２、２０２を反対方向へ作動させて上下のシール板２０１、２０１を互いに離間させると共に、折込み装置１００の折込み板１０１、１０１を外方へ拡いた後、移動板１００を作動させて折込み装置１００を後退させる。かくして、ヒートシール器２００および折込み装置１００は待機し、次の動作に備える。以上、前記と同様の動作を繰り返すものである。
【００２７】
【発明の効果】
本発明は、以上詳述したように構成されるものであるから、おむすびを収納した袋体の開口部両側から折込み板をシール面の上側あるいは下側に沿って対向接近させることの一動作でシール部の上下両側を内側へ同時に折り込むことができるため、左右および上下対称の外観美麗な折込み部が迅速確実に形成され、商品価値を高めることができる。
【００２８】
さらに、その折込み部を上下両面から直交する方向にシールして袋体の開口部を閉鎖するため、密閉性に優れ、袋体内部のおむすびの鮮度を長期に亘って保持することができる。
【図面の簡単な説明】
【図１】（Ａ）、（Ｂ）袋体開口部に対する折り込み前の説明図である。。
【図２】（Ａ）、（Ｂ）袋体開口部に対する折り込み途中の説明図である。
【図３】（Ａ）、（Ｂ）袋体開口部に対する折り込み時の説明図である。
【図４】（Ａ）、（Ｂ）袋体開口部に対するヒートシール前の説明図である。
【図５】（Ａ）、（Ｂ）袋体開口部に対するヒートシール後の説明図である。
【図６】図１の側面からみた説明図である。
【図７】袋体開口部に対するヒートシール時の側面からみた説明図である。
【符号の説明】
１      包装シート
２      シール
３      開口部
４      袋体
５      おむすび
６      折込み部
７      シール部
１００  折込み装置
１０１  折込み板
２００  ヒートシール器
２０１  シール板
【図１】
2004276944.tif 000003
【図２】
2004276944.tif 000004
【図３】
2004276944.tif 000005
【図４】
2004276944.tif 000006
【図５】
2004276944.tif 000007
【図６】
2004276944.tif 000008
【図７】
2004276944.tif 000009